(57)【特許請求の範囲】
【請求項１】
電力を供給するバッテリと、
前記バッテリの電圧を検出する電圧検出部と、
設定時刻に所定の機能を動作させる機能動作制御部と、
前記電圧検出部による前記バッテリの検出電圧値から、前記設定時刻までの消費電流値に基づいて算出される電圧値低下推測値を減算することにより得られる前記設定時刻におけるバッテリ電圧予測値が、前記機能動作制御部により所定の機能を動作させるために必要な最低電圧値より小さい場合に、警報を報知する警報部とを備えたことを特徴とする携帯端末。
【請求項２】
前記消費電流値は、前記設定時刻までの時間経過を管理するのに必要な消費電流値であることを特徴とする請求項１記載の携帯端末。
【請求項３】
前記警報は、充電が必要であることを示す警告であることを特徴とする請求項１記載の携帯端末。
【請求項４】
前記所定の機能は、設定時刻にアラームを鳴動させる機能、所定時刻にメール送信する機能、もしくは所定時刻にデータのダウンロードを行う機能を含むことを特徴とする請求項１に記載の携帯端末。
【請求項５】
電力を供給するバッテリと、
前記バッテリの電圧を検出する電圧検出部と、
設定時刻に所定の機能を動作させる機能動作制御部と、
前記電圧検出部による前記バッテリの検出電圧値から、現在使用の機能を前記設定時刻まで動作させるのに必要な消費電流値に基づいて算出される電圧値低下推測値を減算することにより得られる前記設定時刻におけるバッテリ電圧予測値が、前記機能動作制御部により所定の機能を動作させるために必要な最低電圧値より小さい場合に、前記設定時刻までの時間経過を管理するのに必要な処理のみを動作させ、前記設定時刻まで他の機能の動作を制限する機能制限部とを備えたことを特徴とする携帯端末。
【請求項６】
前記消費電流値は、過去の使用状態に応じて求めた消費電流値の平均値であることを特徴とする請求項５記載の携帯端末。
【請求項７】
前記他の機能の動作として、通信機能、バックライト機能、バイブレーション機能を含むことを特徴とする請求項６記載の携帯端末。
【請求項８】
前記現在使用の機能は、音声、音楽の録音または再生、画像の録画または再生、ＴＶ視聴、もしくはゲーム操作を含むことを特徴とする請求項５に記載の携帯端末。
【請求項９】
前記所定の機能は、設定時刻にアラームを鳴動させる機能、所定時刻にメール送信する機能、もしくは所定時刻にデータのダウンロードを行う機能を含むことを特徴とする請求項５に記載の携帯端末。
【請求項１０】
設定時刻に所定の機能を動作させる携帯端末の機能動作制御方法であって、
バッテリの電圧を検出するステップと、
前記設定時刻までの消費電流値を計算するステップと、
前記設定時刻までの消費電流値に基づいて電圧値低下推測値を算出するステップと、
前記バッテリの検出電圧値から、前記電圧値低下推測値を減算して前記設定時刻におけるバッテリ電圧予測値を計算するするステップと、
前記バッテリ電圧予測値が、前記所定の機能を動作させるために必要な最低電圧値より小さい場合に、警報を報知するステップとを具備する機能動作制御方法。
【請求項１１】
設定時刻に所定の機能を動作させる携帯端末の機能動作制御方法であって、
バッテリの電圧を検出するステップと、
前記設定時刻までの消費電流値を計算するステップと、
前記設定時刻までの消費電流値に基づいて電圧値低下推測値を算出するステップと、
前記バッテリの検出電圧値から、前記電圧値低下推測値を減算して前記設定時刻におけるバッテリ電圧予測値を計算するするステップと、
前記バッテリ電圧予測値が、前記所定の機能を動作させるために必要な最低電圧値より小さい場合に、前記設定時刻までの時間経過を管理するのに必要な処理のみを動作させ、前記設定時刻まで他の機能の動作を制限するステップとを具備する機能動作制御方法。
【請求項１２】
前記他の機能の動作として、通信機能、バックライト機能、バイブレーション機能を含むことを特徴とする請求項１１記載の機能動作制御方法。
【発明の詳細な説明】
【技術分野】
【０００１】
本発明は、所定時間後に所定の機能を確実に動作させることができる携帯端末及び機能動作制御方法に関する。
本願は、２００６年３月２８日に出願された特願２００６−８６７８４号及び、２００６年７月２７日に出願された特願２００６−２０５０４９号に対し優先権を主張し、その内容をここに援用する。
【背景技術】
【０００２】
従来から、バッテリの電力供給能力低下時に最小限の音声通信機能に加えて非音声通信機能を確保しつつそれ以外の機能を使用可能とするために、バッテリの電力供給能力低下を監視し、バッテリの電圧低下が検出されたときに通信機能に制限を加える制御を行う携帯通信端末が知られている（例えば、特許文献１参照）。これは、バッテリの電力供給能力低下が検出されたときに、音声通信の通話時間を一定時間に制限する、着信検出を除いた音声通信を停止する、全てのまたは一定の大きさ以上の音声以外のデータ送信機能、受信機能または送受信機能のいずれかまたは複数の機能を停止する、等の制御を行うもので、また通信に優先順位をつけ、この優先順位が所定レベル以上の高い通信に対してバッテリの電圧電力供給能力を検出し、通信機能に制限が加わっているときに一時的に該通信機能の制限を解くようにすることができるものである。
【特許文献１】特開２００２−２６１９１９号公報
【発明の開示】
【発明が解決しようとする課題】
【０００３】
しかしながら、特許文献１に示す携帯端末にあっては、バッテリの電力供給能力低下時に一部の機能を確保しつつそれ以外の機能を制限してしまうため、必要なときに必要な機能を動作させることができないという問題がある。特に、タイマを使用して所定時間後にアラーム鳴動機能を動作させるような場合には、所定時間が経過するまでにバッテリの電力供給能力が変化してしまう可能性があるため、アラームを鳴動させるべきときに、機能が制限され、アラームを鳴動させることができないという問題がある。【０００４】
本発明は、このような事情に鑑みてなされたもので、所定時間後に所定の機能を確実に動作させることができる携帯端末及び機能動作制御方法を提供することを目的とする。【０００５】
本発明は、電力を供給するバッテリと、前記バッテリの電圧を検出する電圧検出部と、設定時刻に所定の機能を動作させる機能動作制御部と、前記電圧検出部による前記バッテリの検出電圧値から、前記設定時刻までの消費電流値に基づいて算出される電圧値低下推測値を減算することにより得られる前記設定時刻におけるバッテリ電圧予測値が、前記機能動作制御部により所定の機能を動作させるために必要な最低電圧値より小さい場合に、警報を報知する警報部とを備えたことを特徴とする。【０００６】
本発明は、前記消費電流値は、前記設定時刻までの時間経過を管理するのに必要な消費電流値であることを特徴とする。【０００７】
本発明は、前記警報は、充電が必要であることを示す警告であることを特徴とする。【０００８】
本発明は、前記所定の機能は、設定時刻にアラームを鳴動させる機能、所定時刻にメール送信する機能、もしくは所定時刻にデータのダウンロードを行う機能を含むことを特徴とする。【０００９】
本発明は、電力を供給するバッテリと、前記バッテリの電圧を検出する電圧検出部と、設定時刻に所定の機能を動作させる機能動作制御部と、前記電圧検出部による前記バッテリの検出電圧値から、現在使用の機能を前記設定時刻まで動作させるのに必要な消費電流値に基づいて算出される電圧値低下推測値を減算することにより得られる前記設定時刻におけるバッテリ電圧予測値が、前記機能動作制御部により所定の機能を動作させるために必要な最低電圧値より小さい場合に、前記設定時刻までの時間経過を管理するのに必要な処理のみを動作させ、前記設定時刻まで他の機能の動作を制限する機能制限部とを備えたことを特徴とする。【００１０】
本発明は、前記消費電流値は、過去の使用状態に応じて求めた消費電流値の平均値であることを特徴とする。【００１１】
本発明は、前記他の機能の動作として、通信機能、バックライト機能、バイブレーション機能を含むことを特徴とする。【００１２】
本発明は、前記現在使用の機能は、音声、音楽の録音または再生、画像の録画または再生、ＴＶ視聴、もしくはゲーム操作を含むことを特徴とする。【００１３】
本発明は、前記所定の機能は、設定時刻にアラームを鳴動させる機能、所定時刻にメール送信する機能、もしくは所定時刻にデータのダウンロードを行う機能を含むことを特徴とする。【００１４】
本発明は、設定時刻に所定の機能を動作させる携帯端末の機能動作制御方法であって、バッテリの電圧を検出するステップと、前記設定時刻までの消費電流値を計算するステップと、前記設定時刻までの消費電流値に基づいて電圧値低下推測値を算出するステップと、前記バッテリの検出電圧値から、前記電圧値低下推測値を減算して前記設定時刻におけるバッテリ電圧予測値を計算するするステップと、前記バッテリ電圧予測値が、前記所定の機能を動作させるために必要な最低電圧値より小さい場合に、警報を報知するステップとを具備することを特徴とする機能動作制御方法である。【００１５】
本発明は、設定時刻に所定の機能を動作させる携帯端末の機能動作制御方法であって、バッテリの電圧を検出するステップと、前記設定時刻までの消費電流値を計算するステップと、前記設定時刻までの消費電流値に基づいて電圧値低下推測値を算出するステップと、前記バッテリの検出電圧値から、前記電圧値低下推測値を減算して前記設定時刻におけるバッテリ電圧予測値を計算するするステップと、前記バッテリ電圧予測値が、前記所定の機能を動作させるために必要な最低電圧値より小さい場合に、前記設定時刻までの時間経過を管理するのに必要な処理のみを動作させ、前記設定時刻まで他の機能の動作を制限するステップとを具備することを特徴とする機能動作制御方法である。【００１６】
本発明は、前記他の機能の動作として、通信機能、バックライト機能、バイブレーション機能を含むことを特徴とする。
【発明の効果】
【００１７】
本発明によれば、携帯端末が電圧検出部によるバッテリの検出電圧値から、設定時刻までの消費電流値に基づいて算出される電圧値低下推測値を減算することにより得られる設定時刻におけるバッテリ電圧予測値が、所定の機能を動作させるために必要な最低電圧値より小さい場合に、警報を報知するようにした。したがって、ユーザはこの警報に応じてバッテリの充電を行うことができ、所定時間後または設定時刻に所定の機能を確実に動作させることができるという効果が得られる。【００１８】
また、電圧検出部によるバッテリの検出電圧値から、現在使用の機能を設定時刻まで動作させるのに必要な消費電流値に基づいて算出される電圧値低下推測値を減算することにより得られる設定時刻におけるバッテリ電圧予測値が、所定の機能を動作させるために必要な最低電圧値より小さい場合に、設定時刻までの時間経過を管理するのに必要な処理のみを動作させ、前記設定時刻まで他の機能の動作を制限するようにしたため、消費電力を節約することが可能になり、所定時間後または設定時刻に所定の機能を確実に動作させることができるという効果が得られる。
【図面の簡単な説明】
【００１９】
【図１】図１は、本発明の一実施形態の構成を示すブロック図である。
【図２】図２は、図１に示す装置の動作を示すフローチャートである。
【図３】図３は、図１に示す低下電圧値α１３と低下電圧値β１４の時間変化を示す説明図である。
【符号の説明】
【００２０】
１・・・制御部
２・・・入力部
３・・・表示部
４・・・無線通信部
５・・・マイク
６・・・スピーカ
７・・・振動発生部
８・・・タイマ
９・・・アラーム発生部
１０・・・バッテリ
１１・・・電圧検出部
１２・・・メモリ
１５・・・機能制限部
【発明を実施するための最良の形態】
【００２１】
以下、本発明の一実施形態による携帯端末を図面を参照して説明する。図１は同実施形態の構成を示すブロック図である。この図において、符号１は、携帯端末の処理動作を統括して制御する制御部である。符号２は、ダイヤルキーやファンクションキーを配列したキーパネル等から構成する入力部である。符号３は、液晶のディスプレイ等から構成する表示部である。符号４は、図示しない基地局との間で無線通信回線を確立して情報通信、音声通信を行う無線通信部である。符号５は、話者の音声を集音するマイクである。符号６は、通話相手の音声を発音するスピーカである。符号７は、着信を振動によって報知するための振動発生部である。符号８は、時刻情報を出力するタイマである。符号９は、予め設定した時刻になったときに、音や光を発することによりアラームを発生させるアラーム発生部である。【００２２】
符号１０は、携帯端末を動作させるための電力を供給するバッテリ（２次電池）である。符号１１は、バッテリ１０の電圧を検出する電圧検出部である。符号１２は、機能動作制御を行うためのしきい値である低下電圧値α１３及び低下電圧値β１４が記憶されるメモリである。メモリ１２には、低下電圧値の他、ユーザが取得したデータの格納や携帯端末を動作させるためのプログラム等も記憶される。符号１５は、バッテリの電力供給能力に基づいて、携帯端末が有する機能の動作を制限する機能制限部である。【００２３】
以下の説明においては、設定時刻に動作させる所定の機能として、予め設定された設定時刻にアラームを鳴動させる機能を例にして説明する。【００２４】
ここで、図３を参照して、メモリ１２に記憶される低下電圧値α１３及び低下電圧値β１４について説明する。図３に示すアラーム鳴動可能な最低電圧値とは、アラームを鳴動させるために最低限必要となる電圧値（以下、電圧値ＶＬと称する）であり、予め計測して内部に保持されている値である。【００２５】
アラーム鳴動可能な最低電圧変化値（低下電圧値α）とは、アラーム鳴動の設定時刻までの時間経過を管理する処理のみを動作させ、携帯端末が有するその他の機能（例えば、音声通話、メール送信等の通信機能、バックライト機能、バイブレーション機能を指す）を設定時刻まで一切動作させなかった場合に、設定時刻においてバッテリ電圧がアラームを鳴動させるために最低限必要となる電圧値ＶＬとなるまでバッテリ１０の電圧が低下した場合の変化値（バッテリ電圧値と経過時間との関係を示す直線）である。この低下電圧値αは、アラーム鳴動の設定時刻までの時間経過を管理する処理のみを動作させた場合のアラーム鳴動設定時刻までの残り時間毎に、バッテリ電圧の低下電圧値（電圧値低下推測値）が予めメモリ１２に記憶されているものである。例えば、アラーム鳴動の設定時刻までの時間経過を管理する処理のみを動作させ、残り時間が６時間の場合、残り時間６時間に関係付けられているバッテリ電圧の低下電圧値（低下電圧値α）を現在のバッテリ電圧値から減算することにより６時間後のバッテリ電圧値（バッテリ電圧予測値）を予測することが可能となる。【００２６】
また、アラーム鳴動可能な平均電圧変化値（低下電圧値β）とは、過去の各時刻における消費電流履歴の情報を保持しておき、各時刻における平均消費電流値を元に、設定時刻においてバッテリ電圧がアラームを鳴動させるために最低限必要となる電圧値ＶＬとなるまでバッテリ１０の電圧が低下した場合の変化値（バッテリ電圧値と経過時間との関係を示す直線）である。この低下電圧値βは、携帯端末を通常使用した場合のアラーム鳴動設定時刻までの残り時間毎に、バッテリ電圧の低下電圧値（電圧値低下推測値）が予めメモリ１２に記憶されているものである。例えば、携帯端末を通常使用し、残り時間が３時間の場合、残り時間３時間に関係付けられているバッテリ電圧の低下電圧値（低下電圧値β）を現在のバッテリ電圧値から減算することにより３時間後のバッテリ電圧値（バッテリ電圧予測値）を予測することが可能となる。ここで、携帯端末の通常使用の機能には、音声、音楽の録音または再生、画像の録画または再生、ＴＶ視聴、もしくはゲーム操作を含むものとする。【００２７】
次に、図３を参照して、制御動作の概要を説明する。電圧検出部１１は所定の時刻にアラーム鳴動が設定されている場合に、現時点のバッテリ１０の電圧値（以下、ＶＢと称する）を検出し、電圧値ＶＢが、（低下電圧値β＋電圧値ＶＬ）の値より大きい値である場合、アラーム鳴動時刻まで必要な電圧を保持できると判断し、特に何もしない。次に、例えばアラーム鳴動時刻の６時間前において、（低下電圧値β＋電圧値ＶＬ）＞電圧値ＶＢ＞（低下電圧値α＋電圧値ＶＬ）の関係である場合、このままでは電圧値ＶＢがアラーム鳴動時刻に電圧値ＶＬを下回る可能性があると判断し、アラーム鳴動の設定時刻までの時間経過を管理する処理のみを動作させ、携帯端末が有するその他の機能（例えば、音声通話、メール送信等の通信機能、バックライト機能、バイブレーション機能）を設定時刻まで一切動作させないように制御する、または、このままでは設定時刻にアラームが鳴動しない可能性があることを報知する。また、例えばアラーム鳴動時刻の３時間前において、（低下電圧値α＋電圧値ＶＬ）＞電圧値ＶＢの関係である場合、このままでは電圧値ＶＢがアラーム鳴動時刻に電圧値ＶＬを下回ってしまうと判断し、ユーザに対して充電することを指示する警告を報知する。【００２８】
次に、図２を参照して、図１に示す携帯端末１の詳細動作を説明する。初めに、所定の時刻にアラームを鳴動させる設定を行う動作を説明する。まず、ユーザは、入力部２を操作して、アラーム設定のメニューを選択する。これを受けて、制御部１は、アラームの鳴動時刻を入力させるメッセージを表示部３に表示する。ここで、ユーザは、入力部２を操作して、アラーム鳴動時刻（例えば、０７：００）を入力する。制御部１は、入力部２から入力されたアラーム鳴動時刻を読み取り、このアラーム鳴動時刻をアラーム発生部９へ通知する。これを受けて、アラーム発生部９は、このアラーム鳴動時刻を内部に保持する。そして、制御部１は、表示部３にアラーム鳴動の設定が終了したことを示すメッセージを表示する。この動作によってアラーム鳴動の設定が行われる。【００２９】
次に、アラーム鳴動設定がなされている状態における制御動作を説明する。まず、制御部１は、アラーム発生部９内に保持されているアラーム鳴動の設定状態を読み取る（ステップＳ１）。そして、制御部１は、現時点でアラーム鳴動の設定がされていなければ処理を終了する（ステップＳ２）。一方、現時点でアラーム鳴動の設定がされていれば、制御部１は、現時点の時刻をタイマ８から読み取る（ステップＳ３）。そして、読み取った時刻と、アラーム鳴動設定時刻とを比較して、アラーム時刻を過ぎているか否かを判定する（ステップＳ４）。この判定の結果、アラーム時刻を過ぎていれば、制御部１は処理を終了する。【００３０】
一方、アラーム鳴動の設定がなされており、かつアラーム時刻を過ぎていない場合、制御部１は、電圧検出部１１からバッテリ１０の現時点のバッテリ電圧値ＶＢを取得する（ステップＳ５）。続いて、制御部１は、タイマ８から読み取った現在時刻と、アラーム鳴動設定時刻とからアラーム鳴動時刻までの残り時間を求める（ステップＳ６）。そして、制御部１は、アラーム鳴動時刻までの残り時間と現時点のバッテリ電圧値ＶＢとから設定されている時刻にアラームを鳴動させることが可能か否かを判定する（ステップＳ７）。【００３１】
この判定は、アラーム鳴動時刻までの残り時間に関係付けられている低下電圧値α１３と、低下電圧値β１４とをメモリ１２から読み出し、電圧値ＶＢが、（低下電圧値β＋電圧値ＶＬ）の値より大きい値であるか否かに基づいて行う。そして、電圧値ＶＢが、（低下電圧値β＋電圧値ＶＬ）の値より大きい値である場合、アラーム鳴動時刻まで必要な電圧を保持できると判断し、何もせずにステップＳ１へ戻る。【００３２】
また、電圧値ＶＢが、（低下電圧値β＋電圧値ＶＬ）＞電圧値ＶＢ＞（低下電圧値α＋電圧値ＶＬ）の関係であるか否かを判定し、電圧値ＶＢが、（低下電圧値β＋電圧値ＶＬ）＞電圧値ＶＢ＞（低下電圧値α＋電圧値ＶＬ）の関係である場合、このままでは電圧値ＶＢがアラーム鳴動時刻に電圧値ＶＬを下回る可能性があると判断し、制御部１は、アラーム鳴動の設定時刻までの時間経過を管理する処理のみを動作させ、携帯端末が有するその他の機能を設定時刻まで一切動作させないように機能制限部１５へ指示するとともに、このままでは設定時刻にアラームが鳴動しない可能性があることを表示部３に表示する。機能制限部１５は、制御部１から機能制限の指示を受けると、アラーム鳴動の設定時刻までの時間経過を管理する処理を除いて、携帯端末が有するその他の機能を設定時刻まで一切動作させないように制御する。そして、制御部１は、ステップＳ１へ戻り処理を繰り返す。【００３３】
また、電圧値ＶＢが、（低下電圧値α＋電圧値ＶＬ）＞電圧値ＶＢの関係であるか否かを判定し、電圧値ＶＢが、（低下電圧値α＋電圧値ＶＬ）＞電圧値ＶＢの関係である場合、このままでは電圧値ＶＢがアラーム鳴動時刻に電圧値ＶＬを下回ってしまうと判断し、表示部３に充電が必要であることを示す警告を表示する（ステップＳ８）。【００３４】
なお、図２に示す処理動作は、バッテリ１０の充電が行なわれた時点でリセットされて、ステップＳ１から再び実行される。【００３５】
このように、設定時刻までに消費する電流値に基づいて、設定時刻になったときのバッテリ電圧値を予測して、この予測値が、アラーム鳴動機能を動作させるために必要な最低電圧値より小さい場合に警報を報知するようにしたため、この警報に応じてユーザがバッテリの充電を行うことができ、設定時刻にアラーム鳴動機能を確実に動作させることができる。また、携帯端末の使用量が通常の使用量より多い場合に、他の機能の動作を制限するようにしたため、消費電力を節約することが可能になり、設定時刻にアラーム鳴動機能を確実に動作させることができる。【００３６】
なお、前述した説明では、アラーム鳴動機能を例にして説明したが、設定時刻に確実に動作できるようにする機能は、アラーム鳴動機能に限らず、所定時刻にメール送信を行う、所定時刻にデータのダウンロードを行う機能等であってもよい。すなわち、タイマを使用して、所定時刻または所定時間後に所定の機能を動作させる機能であれば何でもよい。この場合、機能を動作させるために必要な電圧値ＶＬと低下電圧値α、βを対象の機能毎に計測しておき、メモリ１２に記憶しておけばよい。【００３７】
なお、本発明の携帯端末は、移動通信を使用した携帯電話機や移動通信機能を有した携帯情報端末（ＰＤＡ）、モバイル端末、カーナビ装置などを含むものである。【００３８】
なお、図１における処理部の機能を実現するためのプログラムをコンピュータ読み取り可能な記録媒体に記録して、この記録媒体に記録されたプログラムをコンピュータシステムに読み込ませ、実行することにより機能動作制御処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。【００３９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【産業上の利用可能性】
【００４０】
警報に応じてユーザがバッテリの充電を行うことができ、所定時間後または設定時刻に所定の機能を確実に動作させることができる携帯端末及び機能動作制御方法を提供する。
【図１】
0004786707.tif 000002
【図２】
0004786707.tif 000003
【図３】
0004786707.tif 000004